(57)【要約】  一箇所に光の入射部を備えた周回状をなし、入射光を伝播して全体を輝かせる導光体と、前記導光体を間において、前記入射部に対する光源と反対の側に配されて、前記導光体から生じる光を拡散させる拡散カバーとを有している。前記拡散カバーは、前記導光体における前記入射部側を覆う板状基部と、外周部を前記板状基部に一体化させて前記導光体のその余の箇所を覆う環状部とを備えてなる。
2015041104.tif 000002
【特許請求の範囲】
【請求項１】
一箇所に光の入射部を備えた周回状をなし、入射光を伝播して全体を輝かせる導光体と、
前記入射部に対する光源側と異なる側に配されて、前記導光体から生じる光を拡散させる拡散カバーとを有しており、
前記拡散カバーは、前記導光体における前記入射部側を覆う板状基部と、外周部を前記板状基部に一体化させて前記導光体のその余の箇所を覆う環状部とを備えてなる、照明装置。
【請求項２】
拡散カバーの環状部は、導光体の周回中心軸に直交する仮想の平面に沿った前記導光体の表面を覆う第一部分と、前記周回中心軸に沿う向きにある前記導光体の側面を覆う第二部分とを備えてなる、請求項１に記載の照明装置。
【請求項３】
拡散カバーの板状基部の裏面であって、導光体の入射部と環状部との間に位置される箇所に、リブ状をなす仕切り部が形成されている、請求項２に記載の照明装置。
【請求項４】
導光体は、仮想の円の円弧に沿った弧状部と、前記仮想の円の外側においてこの仮想の円の中心を通る仮想の直線に平行をなす真直部と、両者間に位置されるコーナー部とを備えており、
拡散カバーの仕切り部は、前記コーナー部に整合した形状の屈曲部を備えている、請求項３に記載の照明装置。
【請求項５】
拡散カバーの仕切り部は、環状部からの板状基部の突き出し方向に交叉する向きに延びる第一壁部と、第一壁部の端末と環状部の第二部分とを連接させる第二壁部とを備えている、請求項３に記載の照明装置。
【発明の詳細な説明】
【技術分野】
【０００１】
この発明は、周回状をなす導光体を有し、この導光体によって、各種の物品の一部に環状に光る部分を形成させる照明装置の改良に関する。
【背景技術】
【０００２】
点状光源からの入射光によりリング状の光を発するようにした照明装置として、特許文献１に示されるものがある。【０００３】
しかるに、単純に周回状をなす導光体に一箇所から光を入射させてこの導光体の全体を輝かせるようにした場合、入射部側が明るくなり、導光体の全体を均一に輝かせることができない。
【先行技術文献】
【特許文献】
【０００４】
【特許文献１】特開２００３−２９７１０８号公報
【発明の概要】
【発明が解決しようとする課題】
【０００５】
この発明が解決しようとする主たる問題点は、周回状をなす導光体に一箇所から光を入射させてこの導光体によって環状に光る部分を形成させる照明装置において、光の入射部側とそれ以外の箇所との明るさにできるだけ差異が生じないようにさせる点にある。
【課題を解決するための手段】
【０００６】
前記課題を達成するために、この発明にあっては、照明装置を、一箇所に光の入射部を備えた周回状をなし、入射光を伝播して全体を輝かせる導光体と、
前記入射部に対する光源側と異なる側に配されて、前記導光体から生じる光を拡散させる拡散カバーとを有しており、
前記拡散カバーは、前記導光体における前記入射部側を覆う板状基部と、外周部を前記板状基部に一体化させて前記導光体のその余の箇所を覆う環状部とを備えてなるものとした。【０００７】
前記拡散カバーによれば、入射部側の光を効果的に拡散させて、この拡散カバーの環状部がそのどの位置においてもできるだけ均一な明るさで輝くようにすることができる。【０００８】
前記拡散カバーの環状部は、導光体の周回中心軸に直交する仮想の平面に沿った前記導光体の表面を覆う第一部分と、前記周回中心軸に沿う向きにある前記導光体の側面を覆う第二部分とを備えてなるものとすることが、この発明の好ましい態様の一つである。【０００９】
また、前記拡散カバーの板状基部の裏面であって、導光体の入射部と環状部との間に位置される箇所に、リブ状をなす仕切り部を形成させておくことが、この発明の好ましい態様の一つである。
この場合さらに、前記導光体を、仮想の円の円弧に沿った弧状部と、前記仮想の円の外側においてこの仮想の円の中心を通る仮想の直線に平行をなす真直部と、両者間に位置されるコーナー部とを備えたものとすると共に、前記拡散カバーの仕切り部が、前記コーナー部に整合した形状の屈曲部を備えたものとしておくことが、この発明の好ましい態様の一つである。【００１０】
また、前記拡散カバーの仕切り部は、環状部からの板状基部の突き出し方向に交叉する向きに延びる第一壁部と、第一壁部の端末と環状部の第二部分とを連接させる第二壁部とを備えたものとしておくことが、この発明の好ましい態様の一つである。
【発明の効果】
【００１１】
この発明によれば、周回状をなす導光体に一箇所から光を入射させてこの導光体によって環状に光る部分を形成させる照明装置において、アッセンブリーし易い簡素な構造をもって光の入射部側とそれ以外の箇所との明るさにできるだけ差異が生じないようにさせることができる。
【図面の簡単な説明】
【００１２】
【図１】図１はこの発明の一実施の形態にかかる照明装置を含んで構成されるカップ保持体の分解斜視図である。
【図２】図２は前記カップ保持体の斜視図である。
【図３】図３は図２におけるＡ−Ａ線位置での断面図である。
【図４】図４は図２におけるＢ−Ｂ線位置での断面図及び部分拡大断面図である。
【図５】図５は前記照明装置を構成する拡散カバーの構成例（第一例）の底面図である。
【図６】図６は前記拡散カバーの第一例の側面図である。
【図７】図７は前記拡散カバーの第一例の側面図であり、図６と９０度異なる向きから拡散カバーを見て示している。
【図８】図８は図５におけるＣ−Ｃ線位置での断面図である。
【図９】図９は図５におけるＤ−Ｄ線位置での断面図である。
【図１０】図１０は前記拡散カバーの第一例の斜視図である。
【図１１】図１１は前記照明装置を構成する拡散カバーの構成例（第二例）の斜視図である。
【図１２】図１２は前記照明装置を構成する拡散カバーの構成例（第三例）の斜視図である。
【図１３】図１３は前記照明装置を構成する拡散カバーの構成例（第四例）の斜視図である。
【図１４】図１４は前記照明装置を構成する拡散カバーの構成例（第五例）の斜視図である。
【図１５】図１５は前記照明装置を構成する拡散カバーの構成例（第六例）の斜視図である。
【図１６】図１６は前記照明装置を構成する導光体の他の構成例の斜視図及び部分拡大斜視図であり、かかる導光体をその裏面側から見て示している。
【発明を実施するための形態】
【００１３】
以下、図１〜図１６に基づいて、この発明の典型的な実施の形態について、説明する。この実施の形態にかかる照明装置は、周回状をなす導光体１を有し、この導光体１によって、各種の物品の一部に環状に光る部分を形成させるものである。
【００１４】
図示の例では、かかる照明装置を、自動車などの内装品として利用されるカップホルダーのカップ保持体４に備えさせた例を示している。図示の例では、盤状を呈するカップ保持体４は、円形の穴４０を備えており、この穴４０に飲み物容器をその底側から受け入れこれを保持するようになっている。照明装置は、このカップ保持体４の穴４０の縁部をその全周に亘って光らせて、カップホルダーの意匠性を高めると共に、夜間などにおいてもカップ保持体４の前記穴４０に飲み物容器をその底側から間違いなく納め入れ可能にするものとなっている。
【００１５】
かかる照明装置は、導光体１と、拡散カバー２とを備えている。図示の例では、かかる導光体１と拡散カバー２は、前記カップ保持体４を構成するロアプレート４１とアッパープレート４２との間に挟み込み状に納められてかかるカップ保持体４に内蔵されるようになっている。
【００１６】
導光体１は、一箇所に光の入射部１０を備えた周回状をなし、入射光を伝播して全体を輝かせるようになっている。かかる導光体１は、光を透過させると共に、入射された入射光を伝播させて全体を輝かせる機能を備えるものであれば良く、このような機能を備えた公知の透光材料から構成することができる。
【００１７】
図示の例では、導光体１は、仮想の円（図示は省略する。）の円弧に沿った弧状部１１と、真直部１２と、この弧状部１１と真直部１２とをつなぐ二つの腕部１３、１３とを備えている。導光体１は、その周回中心軸（図示は省略する。）に直交する仮想の平面に沿った表面１４及び裏面１５と、前記周回中心軸に沿う向きにある内側面１６及び内側面１６の反対側にある外側面１７を備えており、どの位置においてもその断面形状を実質的に四角形とするように構成されている。
【００１８】
図１に示されるように、真直部１２は、前記仮想の円の外側において、この仮想の円の中心ｘを通る仮想の第一直線Ｌ１に平行をなす仮想の第二直線Ｌ２に沿うように形成されている。真直部１２の全長は、前記仮想の円の直径よりも小さくなっている。入射部１０は、真直部１２の長さ方向略中程の位置に形成されている。具体的には、導光体１の裏面１５側において真直部１２から突き出す台状突部１２ａの突き出し端面が前記入射部１０として機能するようになっている。導光体１の表面１４側であって、入射部１０の直上位置には、前記第二直線Ｌ２に直交する仮想の第三直線Ｌ３に沿ったＶ字状溝１２ｂが形成されている。入射部１０から入射された入射光は、このＶ字状溝１２ｂの溝壁１２ｃにおいて反射され、腕部１３を通じて弧状部１１に伝播されるようになっている。
【００１９】
導光体１は二つの腕部１３、１３を有している。二つの腕部１３、１３の一方は真直部１２の一端と弧状部１１の一端とをつなぎ、二つの腕部１３、１３の他方は真直部１２の他端と弧状部１１の他端とをつないでいる。弧状部１１は前記仮想の円の円弧の１８０度を超える範囲に沿う全長を備えており、その両端間の距離は前記仮想の円の直径より小さく且つ前記真直部１２の全長より大きくなっている。したがって、二箇所の腕部１３、１３間の距離は真直部１２に近づくに連れて漸減する態様となっている。
すなわち、この実施の形態にあっては、前記導光体１は、前記弧状部１１と、前記真直部１２との間にコーナー部１８を備えたものとなっている（図１）。
【００２０】
拡散カバー２は、前記入射部１０に対する光源３と異なる側、この実施の形態にあってはかかる光源３と反対の側に配されて、前記導光体１を間において、前記入射部１０に対する光源３と反対の側に配されて、前記導光体１から生じる光を拡散させるようになっている。（図３、図４）かかる拡散カバー２は、光を透過させるが、透過された光をムラのない均一な光とする、つまり拡散光とする公知の材料から構成される。典型的には、かかる拡散カバー２は乳白色を呈する。
【００２１】
かかる拡散カバー２は、前記導光体１における前記入射部１０側を少なくともこの導光体１の表面１４側から覆う板状基部２０と、外周部を前記板状基部２０に一体化させて前記導光体１のその余の箇所を少なくともその表面１４側から覆う環状部２１とを備えてなる。板状基部２０には、これを表裏方向に貫通する穴などはなく、導光体１の入射部１０側をその表面１４側から隙間なく覆う構成となっている。
【００２２】
図示の例では、環状部２１は、前記仮想の円の円弧に沿った円環状を呈している。かかる環状部２１は、導光体１の周回中心軸に直交する仮想の平面に沿った前記導光体１の表面１４を覆う第一部分２１ａと、前記周回中心軸に沿う向きにある前記導光体１の側面を覆う第二部分２１ｂとを備えてなる。図示の例では、かかる第一部分２１ａと第二部分２１ｂとにより環状部２１の断面はＬ字状を呈している。第二部分２１ｂの外径は前記仮想の円の直径と略一致しており、図示の例では、第二部分２１ｂは導光体１の弧状部１１の内側面１６をその全体に亘って覆い、また、第一部分２１ａは導光体１の弧状部１１の表面１４をその全体に亘って覆うようになっている。
【００２３】
板状基部２０は、図示の例では、前記仮想の円の円弧に沿った弧状辺２０ａと、前記導光体１の真直部１２と略同じ長さを持った真直辺２０ｂと、この弧状辺２０ａと真直辺２０ｂとの間の二箇所の側辺２０ｃ、２０ｃを備えており、この二箇所の側辺２０ｃ、２０ｃはそれぞれ真直部１２に近づくに連れて板状基部２０の幅を漸減させる傾斜した辺となっている。この板状基部２０によって、導光体１の表面１４側において、二箇所の腕部１３と真直部１２とが覆われるようになっている。
【００２４】
図１〜図１０に示される第一例では、拡散カバー２の板状基部２０の裏面２０ｄであって、導光体１の入射部１０と環状部２１との間に位置される箇所に、リブ状をなす仕切り部２０ｅが形成されている。また、かかる仕切り部２０ｅは、環状部２１からの板状基部２０の突き出し方向ｙ（図１０参照）に交叉する向きに延びる第一壁部２０ｆと、第一壁部２０ｆの端末と環状部２１の第二部分２１ｂとを連接させる第二壁部２０ｇとを備えている。
【００２５】
第一例では、板状基部２０は、環状部２１の第一部分２１ａに連なる板状をなすと共にその裏面２０ｄに、前記仕切り部２０ｅを備えてなる。仕切り部２０ｅの突き出し端２０ｈは環状部２１の第二部分２１ｂの突き出し端２１ｃと面一をなしている。第一例では、仕切り部２０ｅの第一壁部２０ｆは、板状基部２０の真直辺２０ｂに平行をなしている。第一壁部２０ｆは、その外面を導光体１の真直部１２の内側面１６に接しさせてこれを覆うようになっている。また、第二壁部２０ｇは、その外面を導光体１の腕部１３の内側面１６に接しさせてこれを覆うようになっている。すなわち、拡散カバー２における環状部２１の第二部分２１ｂと板状基部２０の仕切り部２０ｅは、導光体１の内側面１６の輪郭形状と略等しい輪郭形状を持っている。また、環状部２１と板状基部２０の外縁は、これら２０ｆ、２０ｇ、２１ｂの外面より、導光体の１の表面１４を覆う寸法分、外側に位置するようになっている。第一例では、板状基部２０の弧状辺２０ａの外側には、第一壁部２０ｆの内面側に向いた弧状壁２０ｊを形成され、この弧状辺２０ａと弧状壁２０ｊと二箇所の第二壁部２０ｇとに囲繞された箇所は板状基部２０の表裏寸法を大きくさせる厚肉部２０ｉとなっている。これにより、第一例では、導光体１の真直部１２の内側面１６から導光体１の周回中心軸側に向けて発せられる光は第一壁部２０ｆとかかる厚肉部２０ｉとにより拡散されるようになっている。また、前記第一壁部２０ｆと第二壁部２０ｇとの間には、導光体１のコーナー部１８（図１参照）に整合した形状の屈曲部２０ｒが形成されている。この屈曲部２０ｒは、導光体１のコーナー部１８に接してこれを覆うようになっている。
【００２６】
図１１は、板状基部２０の裏面２０ｄに、導光体１の真直部１２の内側面１６に接する第一外面２０ｍと、導光体１の腕部１３の内面に接する第二外面２０ｎとを備えると共に、第一外面２０ｍに対向する箇所２０ｐを環状部２１の第二部分２１ｂに一体化した厚肉部２０ｋを形成させた拡散カバー２の第二例を示している。導光体１の真直部１２の内面から導光体１の周回中心軸側に向けて発せられる光はこの厚肉部２０ｋにより拡散されるようになっている。
【００２７】
図１２は、板状基部２０の裏面２０ｄに、板状基部２０の真直辺２０ｂに平行をなすリブ状をなす仕切り部２０ｅのみを設け、この仕切り部２０ｅを導光体１の真直部１２の内面に接しさせるようにした拡散カバー２の第三例を示している。
図１３は、板状基部２０の裏面２０ｄに設けられた仕切り部２０ｅが、板状基部２０の真直辺２０ｂに平行をなすリブ状をなす部分と、前記導光体１のコーナー部１８に整合した形状を持った屈曲部２０ｒとを備えるようにし、この仕切り部２０ｅを導光体１の真直部１２の内面及びコーナー部１８の内面に接しさせるようにした拡散カバー２の第四例を示している。前記コーナー部１８は入射部１０より導光体１内に入射される光が集中し輝度が高くなるが、このコーナー部１８を覆う屈曲部２０ｒによってこのコーナー部１８の光を効果的に拡散させることが可能となる。
【００２８】
図１４は、板状基部２０の裏面２０ｄに、板状基部２０の真直辺２０ｂに平行をなす第一壁部２０ｆと、この第一壁部２０ｆの端末と環状部２１の第二部分２１ｂとを連接させる第二壁部２０ｇを備えさせ、第一壁部２０ｆの外面が導光体１の真直部１２の内側面１６に接し、かつ、第二壁部２０ｇの外面が導光体１の腕部１３の内側面１６に接するようにした拡散カバー２の第五例を示している。この第五例では、第一例のような厚肉部２０ｉは設けられていない。
【００２９】
図１５は、板状基部２０の裏面２０ｄに、板状基部２０の真直辺２０ｂに平行をなす第一壁部２０ｆと、この第一壁部２０ｆの端末と環状部２１の第二部分２１ｂとを連接させる第二壁部２０ｇと、環状部２１と第一壁部２０ｆとの間において二箇所の第二壁部２０ｇ、２０ｇ間に亘る追加リブ状部２０ｑとを備えさせ、第一壁部２０ｆの外面が導光体１の真直部１２の内面に接し、かつ、第二壁部２０ｇの外面が導光体１の腕部１３の内面に接するようにした拡散カバー２の第六例を示している。
【００３０】
図１に示すように、前記カップ保持体４を構成するロアプレート４１の表面４１ａには、前記導光体１の外郭形状に倣った凹所４１ｂが形成されており、この凹所４１ｂ内にカップ保持体４の前記穴４０が形成されている。この凹所４１ｂ内には、導光体１の入射部１０を納める貫通穴４１ｃが形成されており、ロアプレート４１の裏面側からこの貫通穴４１ｃに照明装置を構成する光源３がはめ込まれるようになっている。（図４参照）図示の例では、かかる光源３は、ＬＥＤとなっている。
【００３１】
図示の例では、導光体１の外郭形状と相補的な形状を持った前記ロアプレート４１の凹所４１ｂに導光体１を納めた後、この導光体１の弧状部１１の内側に環状部２１の第二部分２１ｂを入り込ませ、かつ、導光体１の真直部１２と腕部１３上を板状基部２０で覆うように拡散カバー２を添装させている。拡散カバー２の環状部２１の第二部分２１ｂの内径はカップ保持体４の前記穴４０の穴径と一致している。前記アッパープレート４２には、カップ保持体４の前記穴４０の穴径よりも大きく、かつ、拡散カバー２の環状部２１の外径よりもやや小さい穴４２ａが形成されており、前記のように拡散カバー２を添装させた状態からロアプレート４１の表面４１ａにカップ保持体４の前記穴４０にアッパープレート４２の前記穴４２ａを連通させるようにしてこのアッパープレート４２を添装させることにより、照明装置がカップ保持体４に内蔵される。図４において、図中符号４２ｂは、アッパープレート４２の裏面側に形成されたボス部であり、ロアプレート４１に形成された、このボス部４２ｂの受け入れ穴４１ｄにこのボス部４２ｂを差し込んだ状態からこのボス部４２ｂにロアプレート４１の裏面側から図示しないタッピングスクリューをねじ込むことでアッパープレート４２とロアプレート４１とが照明装置を間に挟んだ状態で組み合わされるようになっている。
【００３２】
単純に周回状をなす導光体１に一箇所から光を入射させてこの導光体１の全体を輝かせるようにした場合、入射部１０が明るくなり、導光体１の全体を均一に輝かせることができないが、前記拡散カバー２によれば、入射部１０側の光を効果的に拡散させて、この拡散カバー２の環状部２１がそのどの位置においてもできるだけ均一な明るさで輝くようにすることができる。図示の例では、拡散カバー２の環状部２１によって、前記カップ保持体４の前記穴をその周囲方向の各位置において均一な明るさでライトアップすることができる。
なお、図１６に示されるように、導光体１を弧状部１１と、真直部１２と、この真直部１２の外側においてこの真直部１２との間に空間ｓを開けてこの真直部１２と平行をなすように配される外側真直部１２’と、真直部１２と外側真直部１２’とをつなぐ外側腕部１３’とを備えた態様とすると共に、外側真直部１２’に入射部１０を備えさせるようにした場合、導光体１の裏面１５であって外側腕部１２’と真直部１２との間のコーナー部１９にこのコーナー部１９における前記空間ｓ側の縁部を縁取るようにリブ１９ａを設けておくことが好ましい。このようにした場合、かかるリブ１９ａによって入射部１０より導光体１内に入射される光を真直部１２に効果的に回り込ませることが可能となる。
【００３３】
なお、当然のことながら、本発明は以上に説明した実施態様に限定されるものではなく、本発明の目的を達成し得るすべての実施態様を含むものである。
なお、２０１３年９月１８日に出願された日本国特願２０１３−１９３３６７号の明細書、特許請求の範囲、図面及び要約書の全内容をここに引用し、本発明の明細書の開示として、取り入れるものである。
【図１】
2015041104.tif 000003
【図２】
2015041104.tif 000004
【図３】
2015041104.tif 000005
【図４】
2015041104.tif 000006
【図５】
2015041104.tif 000007
【図６】
2015041104.tif 000008
【図７】
2015041104.tif 000009
【図８】
2015041104.tif 000010
【図９】
2015041104.tif 000011
【図１０】
2015041104.tif 000012
【図１１】
2015041104.tif 000013
【図１２】
2015041104.tif 000014
【図１３】
2015041104.tif 000015
【図１４】
2015041104.tif 000016
【図１５】
2015041104.tif 000017
【図１６】
2015041104.tif 000018
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
一箇所に光の入射部を備えた周回状をなし、入射光を伝播して全体を輝かせる導光体と、
前記入射部に対する光源側と異なる側に配されて、前記導光体から生じる光を拡散させる拡散カバーとを有しており、
前記拡散カバーは、前記導光体における前記入射部側を覆う板状基部と、外周部を前記板状基部に一体化させて前記導光体のその余の箇所を覆う環状部とを備えてなり、
拡散カバーの環状部は、導光体の周回中心軸に直交する仮想の平面に沿った前記導光体の表面を覆う第一部分と、前記周回中心軸に沿う向きにある前記導光体の側面を覆う第二部分とを備えてなると共に、
拡散カバーの板状基部の裏面であって、導光体の入射部と環状部との間に位置される箇所に、リブ状をなす仕切り部が形成されている、照明装置。
【請求項２】
導光体は、仮想の円の円弧に沿った弧状部と、前記仮想の円の外側においてこの仮想の円の中心を通る仮想の直線に平行をなす真直部と、両者間に位置されるコーナー部とを備えており、
拡散カバーの仕切り部は、前記コーナー部に整合した形状の屈曲部を備えている、請求項１に記載の照明装置。
【請求項３】
拡散カバーの仕切り部は、環状部からの板状基部の突き出し方向に交叉する向きに延びる第一壁部と、第一壁部の端末と環状部の第二部分とを連接させる第二壁部とを備えている、請求項１に記載の照明装置。
【国際調査報告】
2015041104.tif 000019
2015041104.tif 000020